(57)【要約】【課題】メラミンフォームにｐＨ調整剤などを含浸させることにより、生体外由来の歯面着色汚れを除去すると同時に口腔内ｐＨを中性に整えることで、唾液の働きを正常化する。そして、この唾液の作用を最大限に利用して、歯に被膜を作り、プラーク（歯垢）の発生を抑える多目的のメラミンフォームを提供する。【解決手段】メラミンフォームはｐＨ調整剤などを含有するものであって、乾燥（ドライ）状態、湿潤（ウェット）状態で密封包装され、そのｐＨ調整剤は使用時までメラミンフォーム内に保持され、生体外由来の歯面着色汚れ除去だけでなく、唾液の働きを短時間で正常化することで口腔内のトラブルを減少させる。【選択図】図１
2019115647.tif 000002
【特許請求の範囲】
【請求項１】
メラミンフォームを構成する構成壁内に、ｐＨ調整剤を含浸することを特徴とする口腔内清掃具。
【請求項２】
請求項１のメラミンフォームであって、メラミンフォームの片側平面を、熱可塑性樹脂により補強されたことを特徴とする口腔内清掃具。
【請求項３】
請求項１のメラミンフォームであって、そのメラミンフォームが加熱圧縮されていることを特徴とする口腔内清掃具。
【請求項４】
請求項１乃至３のメラミンフォームであって、そのメラミンフォームが湿潤状態に保たれていることを特徴とする口腔内清掃具。
【請求項５】
請求項１乃至４のメラミンフォームであって、個別に包装されていることを特徴とする口腔内清掃具。
【発明の詳細な説明】
【技術分野】
【０００１】本発明は、アルカリ性質を示すメラミンフォーム製品とその製造方法に関する。
【背景技術】
【０００２】現在、市販される清掃用メラミンフォームの大半が好適なサイズに切り売りされた商品であるが、加熱圧縮により嵩密度を上昇させ強度上昇を図った商品もある。【０００３】生体外由来の歯面着色汚れを除去する目的の商品には、メラミンフォームに液体歯磨き剤を含有させ、その液体歯磨き剤が使用時までメラミンフォームに保持されるよう個別に包装容器に密封された商品も近年販売されており、その特許文献は下記の通りである。【０００４】
【特許文献１】実用新案登録第３１７０６４８号文献。
【発明の開示】
【発明者が解決しようとする課題】
【０００５】口腔内で使用する以上、口腔内の仕組みを理解し安心、安全且、理論上正しいものでなければならない。
【０００６】口腔内は食物の入口であり毎日、多種・多様成分の通過点で歯により噛み砕かれた食物の栄養素を各臓器が吸収、健康な生活を人間は営んでいる。その入口である口腔内を恒に清潔な状態に保っているものが唾液である。この唾液は文献によると、９９．５％が水分で、唾液内のｐＨ（ペーハー）は平均６．８（中性ｐＨ７に近い弱酸性）で、唾液の量が多いほどｐＨ値は高くなり中性となる。この事実から、食物をよく噛むことで唾液の量を増加させることと、食物の消化を良くする観点から「歯の健康」は重要といえる。
【０００７】そして、唾液の分泌量は１日１．０〜１．５Ｌで、安静時では１時間当たり平均１９ｍｌであるのに対して、睡眠時には１時間当たり平均２ｍｌと激減し、口呼吸の場合「カラカラ状態」となる。この状態になると浄化作用（食べかすなどを洗い流す）、殺菌作用（プラーク［歯垢］の発生を抑える）、保護作用（歯に被膜をつくる）、再石灰化作用（一度溶けた歯の成分の再沈着をはかる）、希釈作用（歯の表面の酸をうすめる）、緩衝作用（ｐＨを元の状態に保とうとする）はできなくなり、口腔内の状態は最悪となることから、就寝前の口腔内清掃は重要である。当然、メラミンフォームによる生体外由来の歯面着色汚れ除去のタイミングも、この時間が好適であるといえる。
【０００８】加えて、食事により酸性化した口腔内状態を、唾液のみによる自然回復（文献によれば４０分以上）より短時間で完了する目的から、アルカリ性を有する安心・安全な物質を同時に使用することが好適といえる。この二つの効果を有するメラミンフォームの研究開発を発明の課題とした。
【課題を解決するための手段】
【０００９】アルカリ性を示す物性といっても多種多様であり好適には、安全と考えられる食品添加物が有効である。その食品添加物の内からアルカリ性を示すものはｐＨ調整剤を用途とするもので、その主となるものは、炭酸水素ナトリウム（重炭酸ナトリウム、重炭酸ソーダ、重曹）、炭酸ナトリウム（炭酸ソーダ、無水物ソーダ灰）、ピロリン酸二水素二ナトリウム（酸性ピロリン酸ナトリウム）、リン酸水素二カリウム（リン酸二カリウム、第二リン酸カリウム）、リン酸水素二ナトリウム（リン酸二ナトリウム）、リン酸二水素ナトリウム（リン酸一ナトリウム）、リン酸三ナトリウム（第三リン酸ナトリウム）などがあげられる。
【００１０】上記したｐＨ調整剤を溶解するに適合した温度に熱した水に投入した後、メラミンフォームを漬け入れ、メラミンフォーム構成壁内にｐＨ調整剤を含浸した後、軽く搾り湿潤状態として包装することで商品となる。
【００１１】その他にも、メラミンフォーム構成壁内にｐＨ調整剤を含浸した後、乾燥状態としドライタイプの商品として包装販売する方法もある。
【発明の効果】
【００１２】メラミンフォームの生体外由来歯面着色汚れ除去力は、歯磨剤に使用される清掃剤である炭酸カルシウムやリン酸カルシウムの粒子直径３０〜５０μｍに対し、１μｍくらいと極小であり且、硬度は同等のモース硬度３くらいであることからそれ以上であると考察できる。それに加えて、同時に口腔内のｐＨ値をいち早く中性に近くすることができ、緩衝作用を助けることができ、それに伴って希釈、殺菌作用が進み、保護作用、再石灰化作用により歯面に被膜をつくりエナメル質を保護することが可能となった。
【００１３】口腔内のｐＨ値を唾液同等の中性にすることで、口臭が減少するだけでなく、口腔内の「いやな粘り気」がなくなり「サッパリした感じ」が得られた。
【００１４】口腔内を唾液の正確な働きにより清潔に保たれた歯面に被膜によるコーティングが完成し、歯面が「つるつる」となった。
【００１５】メラミンフォームが個別包装になったことで衛生的に使用でき、ドライタイプ（乾燥タイプ）であっても、中性の唾液（少量）だけで使用可能となる。
【発明を実施するための最良の形態】
【００１６】以下、本発明を実施するための最良の形態を図をもって説明する。【００１７】図１は、メラミンフォームの顕微鏡写真（×１０００倍）であり、構成壁１を取り囲むように気泡２が存在し、構成壁にはｐＨ調整剤粒子３が付着していることが理解できる。当然、ｐＨ調整剤の濃度を上昇させることでｐＨ調整剤粒子３の付着量は増加する。【００１８】また、ｐＨ調整剤粒子３の含浸方法は容易であり、含浸するｐＨ調整剤を、それぞれの好適溶解温度に加熱した水（蒸留水）に適量投入し、撹拌することで溶解する。この水溶液の中にメラミンフォームを投入し、漬け置いた後に脱水処理し完全乾燥させた製品がドライタイプとなり、湿潤状態に保たれ包装された製品がウェットタイプである。このウェットタイプにおいてはｐＨ調整剤の種類により、防腐剤が必要な場合があり、両タイプ共に香味料を必要とする場合もある。【００１９】図２及び図３は食事に対する唾液のｐＨ値の推移を示したものであり、図２は午後３時の間食一回に対し、図３は頻繁に間食をする場合であり夜食も含まれている。図を参照して理解できるように飲食をする度に、食後（間食、夜食）唾液ｐＨ酸性時６の値までｐＨ値は下がり酸性となる。その後、唾液の働きにより約４０分で唾液の働き分岐点５まで到達するが、唾液ｐＨ正常値４まで到達するには同時間が必要であることが理解できる。【００２０】図３のように頻繁に間食をくり返し、就寝前に夜食を取った場合、就寝時において唾液は唾液ｐＨ正常値４に到達する以前の酸性状態であり、加えて、就寝することにより１時間当たり平均２ｍｌと減少することから、就寝前には必ずブラッシング等により口腔内を清潔とし、唾液ｐＨ値をｐＨ６．８〜７（中性）にする必要がある。これを怠ると口腔内のトラブルだけでなく、雑菌は食道を通り内蔵疾患の原因となることも考えられる。【００２１】メラミンフォームの用途は、生体外由来の歯面着色汚れを除去する美白作用が目的ではあるが、歯磨剤に含まれる研磨剤（清掃剤）である炭酸カルシウム、リン酸カルシウム粒子と同等のモース硬度３くらいの硬さを有するメラミンフォーム粒子により、歯面着色汚れを除去した後、正常な唾液による歯に被膜をつくる保護作用（コーティング効果）、一度溶けた歯の成分の再沈着作用（歯面の修理）は必要不可欠であることから、アルカリ性を示すｐＨ調整剤をメラミンフォーム内に含浸することを考察した。【００２２】以前、本発明者はメラミンフォーム内に残留物として残る酸性物質を炭酸水素ナトリウム等の食品添加物でもあるｐＨ調整剤により、中和することで除去することができ、特許第５５７７５１０号文献として登録され、その後の研究開発により唾液を中性に保つことが口腔内に大切なことが分かり、今回の商品開発となった。
【図面の簡単な説明】
【００２３】
【図１】メラミンフォーム内構成壁に付着（含浸）したｐＨ調整剤の粒子を示す顕微鏡写真（×１０００倍）。
【図２】唾液と食事による口腔内ｐＨの変動パターンを示す図（間食が１回の場合）。
【図３】唾液と食事による口腔内ｐＨの変動パターンを示す図（間食が３回と多く、夜食１回の場合）。
【符号の説明】
【００２４】１．構成壁
２．気泡
３．ｐＨ調整剤粒子
４．唾液ｐＨ正常値
５．唾液の働き分岐点
６．食後（間食、夜食）唾液ｐＨ酸性時
【図１】
2019115647.tif 000003
【図２】
2019115647.tif 000004
【図３】
2019115647.tif 000005